(57)【要約】【課題】簡易に設置できる防水板装置を提供する。【解決手段】建物開口部に取り付け可能な一対の縦枠（１２）と、縦枠に昇降可能に設けられる防水板（２０）と、を備える。【選択図】図２
2015055148.tif 000002
【特許請求の範囲】
【請求項１】
建物開口部に取り付け可能な一対の縦枠と、
前記縦枠に昇降可能に設けられる防水板と、を備える防水板装置。
【請求項２】
前記建物開口部には、左右の既設縦枠が配置され、
前記縦枠は、前記左右の既設縦枠に沿って取り付けられ、
前記防水板は前記建物開口部よりも上部に設置されることを特徴とする、請求項１に記載の防水板装置。
【請求項３】
前記防水板を昇降させるワイヤと、
前記防水板に配置され、前記ワイヤに吊られる部材と、を有し、
前記ワイヤのうち鉛直に延びる部位は前記縦枠内を通される、請求項１または２に記載の防水板装置。
【請求項４】
前記防水板は、パネルと、該パネルの四周に矩形状に形成される上下左右の防水板枠と、からなり、前記防水板枠には前記ワイヤが通されることを特徴とする請求項３に記載の防水板装置。
【請求項５】
前記防水板の前記縦枠にガイドされる部位及び前記縦枠には前記防水板の傾斜を防止する手段が設けられている請求項１乃至４のいずれか１項に記載の防水板装置。
【請求項６】
前記防水板の下端面には下端止水材が配置されており、
前記下端止水材の下面には斜め下方に延びるひれ部が設けられている請求項１乃至５のいずれか１項に記載の防水板装置。
【請求項７】
前記縦枠には、前記防水板の下降の姿勢で前記防水板を板厚方向に押圧する押圧部材が少なくとも上下に２つ備えられており、上方に配置される前記押圧部材の方が下方に備えられる前記押圧部材よりも前記防水板に対して退避している請求項１乃至６のいずれか１項に記載の防水板装置。
【発明の詳細な説明】
【技術分野】
【０００１】
本発明は、外部から建物等へ浸水することを防止する防水板装置に関する。
【背景技術】
【０００２】
大雨や洪水時において道路等が水没すると、その周りにある店舗等の建物に水が浸入して被害が拡大することがある。このとき建物の内部へ続く出入口に水の浸入を防止する手段が備えられていればその被害も少なく抑えることができる。かかる観点から、当該出入口に設置され、有事には水の浸入を防止する防水板装置が有効である。
【０００３】
平時には防水板を上昇させて上部空間に保管し、有事には防水板を下降させる機構を具備する防水板装置について、特許文献１、２のような先行技術がある。
【先行技術文献】
【特許文献】
【０００４】
【特許文献１】特開２００７−２３９２０５号公報
【特許文献２】実開昭６１−２６７２３号公報
【発明の概要】
【発明が解決しようとする課題】
【０００５】
しかしながら、従来、地面に埋設したり天井に収納したりする等、大掛かりであり、簡易に設置できる防水板装置がなかった。
【０００６】
そこで本発明は、このような問題点に鑑み、簡易に設置できる防水板装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、建物開口部に取り付け可能な一対の縦枠（１２）と、縦枠に昇降可能に設けられる防水板（２０）と、を備える防水板装置（１）である。
【０００９】
請求項２に記載の発明は、請求項１に記載の防水板装置（１）において、建物開口部には、左右の既設縦枠が配置され、縦枠（１２）は、左右の既設縦枠に沿って取り付けられ、防水板（２０）は建物開口部よりも上部に設置される。
【００１０】
請求項３に記載の発明は、請求項１または２に記載の防水板装置（１）において、防水板（２０）を昇降させるワイヤ（４４）と、防水板（２０）に配置され、ワイヤに吊られる部材（４１、４２）と、を有し、ワイヤのうち鉛直に延びる部位は縦枠内を通される。
【００１１】
請求項４に記載の発明は、請求項３に記載の防水板装置（１）において、防水板（２０）は、パネル（２１）と、該パネルの四周に矩形状に形成される上下左右の防水板枠（２２）と、からなり、防水板枠にはワイヤが通される。
【００１２】
請求項５に記載の発明は、請求項１乃至４のいずれか１項に記載の防水板装置（１）において、防水板（２０）の縦枠（１２）にガイドされる部位（２７）及び縦枠には防水板の傾斜を防止する手段（１２ｅ、２８）が設けられている。
【００１３】
請求項６に記載の発明は、請求項１乃至５のいずれか１項に記載の防水板装置（１）において、防水板（２０）の下端面には下端止水材（３０）が配置されており、下端止水材の下面には斜め下方に延びるひれ部（３０ｂ）が設けられている。
【００１４】
請求項７に記載の発明は、請求項１乃至６のいずれか１項に記載の防水板装置において、縦枠（１２）には、防水板（２０）の下降の姿勢で防水板を板厚方向に押圧する押圧部材（１３、１４）が少なくとも上下に２つ備えられており、上方に配置される押圧部材（１３）の方が下方に備えられる押圧部材（１４）よりも防水板に対して退避している。
【発明の効果】
【００１５】
本発明によれば、枠を簡易に取り外し、及び設置することが可能な防水板装置となる。
【図面の簡単な説明】
【００１６】
【図１】１つの形態にかかる防水板装置１が設置された開口部の斜視図であり、図１（ａ）は防水板２０が上昇して保持された姿勢、図１（ｂ）は防水板２０が下降した姿勢を示している。
【図２】図２（ａ）は図１（ａ）の姿勢の防水板装置１の正面図、図２（ｂ）は図１（ｂ）の姿勢の防水板装置の正面図である。
【図３】図２（ａ）のうち、防水板２０の部位に注目した図である。
【図４】防水板装置１の水平方向断面を表したである。
【図５】図４の一部を拡大した図である。
【図６】防水板装置１の鉛直方向断面を表した図である。
【図７】既存枠の設置状況に応じた縦枠１２の設置例を説明する図である。
【図８】ワイヤ４４の異なる取りまわしの例である。
【図９】押圧部材１３を図５の矢印ＩＸから見た図である。
【図１０】下端止水材３０が接地したときの形態を説明する図である。
【発明を実施するための形態】
【００１７】
本発明の上記した作用及び利得は、次に説明する発明を実施するための形態から明らかにされる。以下本発明を図面に示す形態に基づき説明する。しかし本発明は当該形態に限定されるものではない。
【００１８】
図１は１つの形態にかかる防水板装置１が既設の店舗出入り口用の開口部装置１００の室外側に重ねて設置された状態における斜視図である。図１（ａ）は防水板２０が防水板装置１の上部に保持された姿勢を表し、図１（ｂ）は防水板２０が防水板装置１の下部に降ろされ開口の一部を閉鎖して水の侵入を防止する姿勢を表している。
図２は防水板装置１を外部側正面から見た図であり、図２（ａ）は防水板２０が防水板装置１の上部に保持された姿勢を表し、図２（ｂ）は防水板２０が防水板装置１の下部に降ろされた姿勢を表している。
図３は、図２（ａ）のうち防水板２０が保持されている部分に注目するとともに内蔵している機構の一部を透視して表した図である。
図４は防水板装置１の水平方向断面を表した図、図５は図４のうち一方側の端部に注目して拡大して表した図である。また、図６は防水板装置１の鉛直方向断面を表した図である。
ここでは水害時等には、外部側から内部側に向けて水が侵入しようとする場合を想定する。また、外部側−内部側方向を内外方向、２つの縦枠１２が配列される方向を左右方向、防水板２０が昇降する方向を上下方向と記載することがあり、図面にもこれら方向を表している。
【００１９】
防水板装置１は、枠１０、防水板２０、及び昇降機構４０を備えている。
図１（ａ）、図１（ｂ）からわかるように、防水板装置１は開口部に設置される。このときには本形態のように既設の開口部装置１００に重ねて設置してもよいし、防水板装置１を単独で設置してもよい。詳しくは、開口部装置、又は開口部の縁に沿って枠１０が配置され、その枠内に昇降可能に防水板２０が設置される。これにより平常時には図１（ａ）、図２（ａ）のように防水板２０が上部に保持されており、開口部装置の開口部又は開口部はその全てが開放できる状態となっている。一方、水害時等には、図１（ｂ）、図２（ｂ）のように防水板２０が下降して開口部の一部を閉鎖してこれ以上の水の侵入を防止することができる。
【００２０】
枠１０は、本形態では上枠１１と、該上枠１１の両端のそれぞれから垂下する２つの縦枠１２と、２つの縦枠１２の下端間を渡すように設けられた下枠１５とを備えている。
上枠１１は、長尺の部材であり図６には長手方向に直交する断面が表れている。これからわかるように、上枠１１は断面略Ｌ字状の部材で、当該断面においてＬ字状である一方の片１１ａが水平であり、他方の片１１ｂが片１１ａの外部側端部から垂下するように延びる。
【００２１】
縦枠１２は、上枠１１の両端のそれぞれから垂下して地面に立設される長尺の部材であり、図４、図５に断面が表れている。縦枠１２は防水板装置１０を既設枠に固定するとともに、防水板２０の昇降をガイドする。本形態では両方の縦枠１２の断面形状は同じなのでここでは一方のみ説明する。
縦枠１２は、図４、図５に表れる断面において、左右方向に所定の間隔を有して配置された２つの中空の矩形部１２ａ、１２ｂを有し、その外部側で左右に延びる片１２ｃで連結されている。従って、矩形部１２ａと矩形部１２ｂとの間には間隙１２ｄが形成されている。左右方向外側に配置されている矩形部１２ａからは内外方向外部側に片１２ｅが延びている。そして片１２ｅの外部側端部からは左右方向のうち他方の縦枠１２側に延びる片１２ｆが設けられている。これにより片１２ｆと矩形部１２ｂとの間に間隙が形成されこれがガイド溝１２ｇとなる。従ってガイド溝１２ｇは左右方向を深さ方向とし、内外方向を幅方向とする溝である。
さらに縦枠１２にはガイド溝１２ｇの内部側に連続して、内部側を深さ方向とする溝が形成されこれが傾斜防止溝１２ｈとなる。従って傾斜防止溝１２ｈは左右方向に対向する
２つの側壁１２ｉ、１２ｊを有する溝である。側壁１２ｉは矩形部１２ｂの一部により、側壁１２ｊは片１２ｅの一部によりそれぞれ形成されている。
【００２２】
また、２つの矩形部１２ａ、１２ｂの間には固定部材１２ｋが配置される。固定部材１２ｋは、図４、図５に表れる断面において左右方向に延びる片１２ｋａを有しその両端から外部側に延びる片１２ｋｂを有するコ字状の部材である。
このコ字状である固定部材１２ｋの片１２ｋａを既設枠に重ねてビス等により固定し、固定部材１２ｋを矩形部１２ａと矩形部１２ｂとの間に挟み、片１２ｋｂと矩形部１２ａと、及び片１２ｋｂと矩形部１２ｂとをビス等で固定することにより縦枠１２が既設枠に固定される。このとき矩形枠１２ｂと既設枠とは両面テープで留めてもよい。
【００２３】
このとき、既設枠が必ずしも精度よく設置されているとは限らず、内外方向に傾いていることがある。このときには、図７に示したように、固定部材１２ｋを矩形部１２ａ、１２ｂ間に挿入する程度を変更して調整することができる。このとき、矩形枠１２ａ、１２ｂと既設枠との間にはコーキング材を用いて止水してもよい。
【００２４】
また縦枠１２には、片１２ｆのうちガイド溝１２ｇの内側となる面に２つの押圧部材である第一押圧部材１３及び第二押圧部材１４が配置されている。押圧部材は後で説明するように防水板２０が下降する際に、防水板２０を板厚方向（内外方向）内部側に押圧して防水性を高める手段である。
【００２５】
下枠１５は、立設された２つの縦枠１２の下端間を渡すように配置される長尺の部材であり、図６に長手方向に直交する断面が表れている。下枠１５は、図６からわかるように、内外方向に延びる片１５ａと片１５ａの両端から垂下する２つの片１５ｂ、１５ｃを有しておりコ字状とされている。そしてコ字状である開口を下に向けて片１５ｂ、１５ｃは地面に埋設されており、片１５ａの上面が地面から露出している。
なお、本形態では下枠の長手方向に直交する断面形状はコ字状であるが、その断面形状は、少なくとも下端止水材が当接する部分が平面であれば、特に限定されるものではない。また、下枠１５は必ずしも設けられる必要はない。
【００２６】
第一押圧部材１３は、図２（ａ）、図２（ｂ）に表したように、縦枠１２のうち防水板２０が下降した姿勢で防水板の上部となる位置に配置されている。一方、第二押圧部材１４は図２（ａ）、図２（ｂ）に表したように縦枠１２のうち防水板２０が下降した姿勢で防水板の下部となる位置に配置されている。図９には押圧部材１３を図５の矢印ＩＸで示した方向から見た図を表した。
図５、図９からわかるように、第一押圧部材１３はゴムにより形成されたブロック状の部材等であり、内部側の上下角部に切り欠きによる傾斜面１３ａが設けられている。これにより防水板２０を円滑に移動させつつこれを内部側に押圧させることができる。第二押圧部材１４も同様の形状である。
第一押圧部材と第二押圧部材はゴムに限定するものではなく樹脂等の部材に変えることも可能である。
【００２７】
ただし、特に図５からわかるように、第一押圧部材１３及び第二押圧部材１４の内部側面に関して、第二押圧部材１４に比べて第一押圧部材１３の方が若干外部側に退避されている。これにより第一押圧部材１３と防水板２０との間には空隙１３ａが形成される。第一押圧部材１３はその配置位置の性質上防水板２０が下降するときに長く防水板２０と接触する。従って第一押圧部材１３をこのように若干退避しておくことで、該第一押圧部材１３が防水板２０の昇降の際に抵抗になることを抑制している。これにより防水板２０の円滑な昇降が可能となる。また防水板２０は内外方向へ揺動降下するので、段階的に案内することで、縦枠１２に防水板２０に固定してある止水シート２５ｂを密着させる機能も兼ね備えている。
【００２８】
本形態では上枠１１と、その両端から垂下する縦枠１２とを備える例を示したが、さらに縦枠１２の下端同士を渡すように下枠が設けられてもよい。また必ずしも上枠１１を設ける必要もない。
【００２９】
次に防水板２０について説明する。防水板２０は、平時には防水板装置１の上部に保持され、有事には降ろされて路面に接触して開口の一部を閉鎖して水をせき止め、内部側への水の侵入を防止する機能を有する。従って防水板２０は全体として板状であり、その大部分をなすパネル２１を備えている。パネル２１は板状の部材であり本形態ではガラスパネルを用いている。これにより、平時に上部に保持された際にも光を遮らず内外方向に光を透過させることができ開放感を妨げない。ただしパネルはガラスに限られることはなく、樹脂でもよい。また必ずしも透明である必要もない。
【００３０】
パネル２１の四周端部に沿って防水板枠２２が配置されている。防水板枠２２は、防水板上枠２３、防水板下枠２４、及び２つの防水板縦枠２５が矩形枠状に枠組みされてパネル２１に配置されている。
【００３１】
防水板上枠２３は図６に長手方向に直交する断面が表れているように、当該断面において外部側に矩形部２３ａが形成され、矩形部２３ａの内部側片２３ａａから内部側に向けて片２３ｂが延び、その先端から上下に片２３ｃが延在する。これにより矩形部２３ａと片２３ｃとの間に上下に開口した２つの溝２３ｄ、２３ｅが形成される。下方の溝２３ｄにはパネル２１の端部が差し込まれ固定されている。上方の溝２３ｅには図３からわかるように、溝２３ｅの内側長手方向に沿って、後述する昇降機構４０のワイヤ４４を通すことができる。
【００３２】
防水板下枠２４は図６に長手方向に直交する断面が表れているように、当該断面において矩形部２４ａが形成され、矩形部２４ａの内部側一角に上方に開口した溝２４ｂが形成されている。この溝２４ｂにはパネル２１の端部が差し込まれて固定されている。
また、矩形部２４ａの下端面からは下方に延びる片２４ｃ、２４ｄが所定の間隔で垂下し、ここにも溝が形成され、ここに下端止水材３０が配置されている。
【００３３】
下端止水材３０は、図３からわかるように防水板下枠２４の下面に、該防水板下枠２４の長手方向に沿って配置される長尺の止水材である。図６には下端止水材３０のうち長手方向に直交する断面が表れている。図６からわかるように、下端止水材３０は図６に表れる断面において中空である本体３０ａを有し、本体３０ａから外部側斜め下方に延びるひれ部３０ｂが設けられている。そして本体３０ａとひれ部３０ｂとの間には、外部側に開口するように溝３０ｃが形成されている。
下端止水材３０を構成する材料は通常の止水材と同様のものを用いることができ、止水性を有する弾性に富む材料である。
【００３４】
防水板縦枠２５は図４、図５に長手方向に直交する断面が表れているように、当該断面においてパネル保持部材２６及びガイド部材２７が設けられている。
パネル保持部材２６は、図４、図５に表れる断面において外部側に矩形中空の矩形部２６ａが設けられており、矩形部２６ａの内部側片２６ａａから内部側に向けて片２６ｂが延び、その先端から左右に片２６ｃが延在する。これにより矩形部２６ａと片２６ｃとの間に左右に開口した２つの溝２６ｄ、２６ｅが形成される。溝２６ｄにはパネル２１の端部が差し込まれ固定されている。
【００３５】
ガイド部材２７は、パネル保持部材固定部２７ａ及びガイド部２７ｂを備えている。
パネル保持部材固定部２７ａは、図４、図５に表れる断面において内外方向に延びる片２７ａａを有し、その両端のそれぞれからは反対の防水板縦枠２５側に延びる片２７ａｂが設けられており、これによりコ字状が形成されている。そしてコ字状である内側に上記したパネル保持部材２６が内包されている。ここで、パネル保持部材２６と片２７ａａとの間には止水シート２５ａが配置されている。
また、パネル保持部材固定部２７ａの片２７ａａの縦枠１２側面からはパネル２１とは反対側に向けて（縦枠１２側に向けて）ガイド部２７ｂが延びている。ガイド部２７ｂは図４、図５に表れる断面において矩形中空であり、その内外方向の大きさは上記した縦枠１２のガイド溝１２ｄの開口部の大きさと概ね同じとされている。
また、ガイド部２７ｂのうち内部側面には止水シート２５ｂが配置されている。
【００３６】
さらに、防水板縦枠２５にはその内部側の面に傾斜防止手段としての車輪２８が設けられている。車輪２８はその回転軸がガイド部２７ｂに内外方向に向けて具備され、左右方向及び上下方向を含む面（すなわち、いわゆる見付け面）内で回転するように構成されている。そして車輪２８の直径は上記した縦枠１２の傾斜防止溝１２ｈの側壁１２ｉと側壁１２ｊとの間隔より若干小さくされている。これにより車輪２８は傾斜防止溝１２ｈ内で円滑に回転できる。
このような車輪２８は、本形態では図３からわかるように、防水板縦枠２５の長手方向に２つ配列されている。ただしこれに限られることなく、２つ以上設けられていればよい。
また、本形態では傾斜防止手段として車輪２８を例示したが、ここには例えば摺動性の高い材料により表面が形成された部材を配置してもよい。
【００３７】
また、傾斜防止手段は、少なくとも後述する昇降機構４０のワイヤ４４の移動側（図３の紙面右側）となる防水板縦枠２５に配置される。ただし、これに限らずワイヤ４４の固定側（図３の紙面左側）となる防水板縦枠２５に傾斜防止手段がさらに設けられてもよい。
【００３８】
次に昇降機構４０について説明する。昇降機構４０は防水板２０を縦枠１２に沿って昇降するための機構である。本形態では、昇降機構４０は、図３乃至図６に表れているように、滑車４１、４２、４３、ワイヤ４４、及び固定具４５を具備している。
【００３９】
滑車４１は一方側の防水板縦枠２５の上部で、ガイド部２７の矩形中空の内側に配置されている。滑車４１の回転軸は防水板縦枠２５に内外方向の向きで設けられ、滑車４１は左右方向及び上下方向を含む面（すなわち、いわゆる見付け面）内で回転するように構成されている。
滑車４２は他方側の防水板縦枠２５の上部で、ガイド部２７の矩形中空の内側に配置されている。滑車４２の回転軸は防水板縦枠２５に内外方向の向きで設けられ、滑車４２は左右方向及び上下方向を含む面（すなわち、いわゆる見付け面）内で回転するように構成されている。
滑車４３は左右方向の防水板の揺れを抑えたり、図８に示したように、不図示のワイヤ巻き取り装置を固定具４５側に設置して巻き取るために、ワイヤ４４を固定具４５側に取りまわす変換手段としたりする滑車であり、滑車４１の上方で、縦枠１２の内側に配置されている。滑車４３の回転軸は縦枠１２に内外方向の向きで設けられ、滑車４３は左右方向及び上下方向を含む面（すなわち、いわゆる見付け面）内で回転するように構成されている。
なお、本形態では、防水板の一端からワイヤを巻き取り防水板を昇降させる例を示すが、従来のように、防水板の両端からワイヤを巻き取り防水板を昇降させる形態としてもよい。
【００４０】
ワイヤ４４は公知のワイヤを用いることができるが、チェーン等についても対応することができ、鋼製または鋼製以外の材質かは問わない。
【００４１】
固定具４５は滑車４２の上方で、縦枠１２の内側に配置されており、ワイヤ４４の端部を固定できるように構成されている。
【００４２】
以上のような構成を備える昇降機構４０は次のように組み合わされている。すなわち、ワイヤ４４の一端が固定具４５に固定され、ワイヤ４４の固定されていない他端との間で、滑車４１、４２を上から引っ掛けるように吊るす。滑車４１、４２は防水板縦枠２５に固定されているので、その結果、滑車４１、４２を介してワイヤ４４に防水板２０が引っ掛けられて吊るされることになる。このとき、ワイヤ４４は図３からわかるように、縦枠１２、及び防水板上枠４４の内側を通るので、ワイヤ４４は外部に露出しない。ワイヤ４４のうち固定されていない側は滑車４１から上方に延び、その先には不図示のワイヤ巻き取り装置が設置されており使用者の操作で巻き取り及び巻き戻しができるように構成されている。また、防水板２０の左右方向の揺れを押さえる調整等が必要な場合および図８のようにワイヤ巻き取り装置を滑車４２側に設置するために滑車４１の上方に滑車４３を取付け、巻き取り方向を変えることも可能であるが、防水板２０の左右方向の揺れを押さえる調整等不要な場合およびワイヤ巻き取り装置を滑車４１側に設置する場合には滑車４３を設けなくとも良い。
【００４３】
以上説明した枠１０、防水板２０、及び昇降機構４０は例えば次のように組み合わされて防水板装置１とされている。
昇降機構４０と防水板２０及び枠１０との組み合わせは上記の通りである。一方、枠１０と防水板２０との組み合わせは次の通りである。すなわち、図４、図５からわかるように、防水板２０の防水板縦枠２５に具備されるガイド部２７が縦枠１２のガイド溝１２ｇに挿入される。このとき、車輪２８が縦枠１２内の傾斜防止溝１２ｈの内側に配置される。
【００４４】
このような防水板装置１は次のように作用する。
平時では、防水板装置１は図１（ａ）、図２（ａ）に示したように防水板２０が防水板装置の１の上部に保持されている。これはワイヤ４４が巻き上げられることにより枠１０内に存在するワイヤ４４の長さを短くすることにより防水板２０が上部に引き上げられる。
一方、外部側で洪水が発生する等の有事においては、使用者は不図示の操作手段を用いてワイヤ４４を巻き戻す。これにより枠１０の内側に存在するワイヤ４４が長くなり、これに吊り下げられている防水板２０はその自重で下方に移動し、図１（ｂ）、図２（ｂ）のようにその下端が接地して水を堰き止める。
ここで、防水板２０の降下（上昇も）する際に円滑な動作をさせるため、防水板２０に鉛直上下に配置されている車輪２８の軸心は、水平に配置されている滑車４１のうちワイヤ４４が掛けられる凹部と鉛直方向に一直線状であることが好ましい。すなわち、巻上側のワイヤ４４と車輪２８の軸心とが一直線上であることが好ましい。
図１（ｂ）、図２（ｂ）からわかるように、防水板装置１では防水板２０が下降した姿勢にあってもワイヤ４４のうち鉛直に延びる部分が、縦枠１２内を通されており、２つの縦枠１２の間に露出しない。これにより、例えば防水板２０を跨いで出入りする際にもワイヤ４４に引っ掛かることがないので不具合を生じない。
【００４５】
また、図１（ｂ）、図２（ｂ）のように防水板２０が接地すると、下端止水材３０が路面に接触して下端部における水の侵入を防止する。このとき、図１０に示したように、ひれ部３０ｂの形状により該ひれ部３０ｂが下枠１５の片１５ａに最初に接地するとともに、ひれ部３０ｂがその付勢力に抗して押し上げられるように変形する。これによりひれ部３０ｂの下面が路面に沿って強く接地するので防水性を高めることができる。このとき本体３０ａが中空であることにより本体３０ａが変形してひれ部３０ｂの上記変形を円滑にしている。また、ひれ部３０ｂの復元力により下枠１５に押し付け力が作用したり、溝３０ｃには外部側から水が浸入し、その水圧によりひれ部３０ｂを路面にさらに押し付けるように作用する。
【００４６】
防水板２０が上昇した姿勢から防水板２０が下降した姿勢に移動する際に、防水板２０が水平方向に長い矩形であるという性質上、及び／又はワイヤ４４が一方の端部を固定し、他方の端部を巻き上げ、巻き戻すという力の加え方の性質上、防水板２０が水平に対して傾く虞がある。防水板２０が傾くと円滑な移動が妨げられてしまい緊急であるにも関わらず適切に対処できない。これに対して防水板装置１では、図５によく表れているように傾斜防止手段である車輪２８が傾斜防止溝１２ｈの内側に配置されており、傾斜しようとすると車輪２８の外周面が傾斜防止溝１２ｈの側壁１２ｉ、１２ｊに接触して傾斜を防止する。これにより防水板の円滑な移動が可能となる。
【００４７】
また、防水板２０の下降の過程で、第一押圧部材１３、第二押圧部材１４により防水板は内部側に押圧され、防水シート２５ｂが縦枠１２のガイド溝１２ｇの内面に密着して防水性が確保される。このとき、上方側の第一押圧部材１３の内部側面が若干外部側にオフセット（退避）してあるので、防水板２０と第一押圧部材１３との間に空隙１３ａが形成され、防水板２０が下降する過程で第一押圧部材１３と防水板２０との摩擦を減じることができ、円滑な移動が可能である。
【００４８】
防水板２０の上昇は使用者が不図示の操作手段を操作することによりワイヤ４４が巻き上げられてこれに伴って防水板２０が上昇する。この際にも上記と同様に円滑な防水板２０の移動が可能である。
【００４９】
また、防水板装置１は上記したように簡易な構成であり、枠１０の取り付け、及び取り外しも容易であり、既存枠や単独でも設置及び取り外しが簡単に行える。
【符号の説明】
【００５０】
１  防水板装置
１０  枠
１１  上枠
１２  縦枠
２０  防水板
２１  パネル
２２  防水板枠
２３  防水板上枠
２４  防水板下枠
２５  防水板縦枠
２６  パネル保持部
２７  ガイド部材
２８  車輪（傾斜防止手段）
３０  下端止水材
４０  昇降機構
４１、４２、４３  滑車
４４  ワイヤ
４５  固定具
【図１】
2015055148.tif 000003
【図２】
2015055148.tif 000004
【図３】
2015055148.tif 000005
【図４】
2015055148.tif 000006
【図５】
2015055148.tif 000007
【図６】
2015055148.tif 000008
【図７】
2015055148.tif 000009
【図８】
2015055148.tif 000010
【図９】
2015055148.tif 000011
【図１０】
2015055148.tif 000012